(57)【要約】【課題】  実質的に希土類磁石製の本体のみより構成されている小型で経済的なマグネットホルダーとそれを簡単に取り外すためのリムーバーを提供することを課題とする。【解決手段】  上記課題を達成するため、マグネットホルダーは希土類磁石のみで構成し、ディスク形状あるいはリング形状の面方向に磁場配向させ、かつ面方向に片側半分づつ着磁方向を変えた希土類磁石を用いる。あるいは直径方向に磁場配向着磁した希土類磁石を用いる。リムーバーとして、マグネットホルダーを構成する希土類磁石と同等以上の磁気吸着力でかつ同じ磁場配向着磁形式の希土類磁石を、把持部の先端に回転自在に取り付けた。このように構成することで、リムーバーをマグネットホルダーに近づけると、リムーバー先端の磁石は、適宜位置を回転調整し、マグネットホルダーと磁気吸着しあうため、簡単に被掲示体からマグネットホルダーを外すことができる。【選択図】  図１
2005289020.tif 000002
【特許請求の範囲】
【請求項１】
ディスク形状あるいはリング形状の厚さ方向に磁場配向され、片側半分を表面がＮ極で裏面がＳ極になるように、残りの半分をその反対に表面がＳ極で裏面がＮ極になるように着磁した実質的に希土類磁石本体のみからなることを特徴とするマグネットホルダー。
【請求項２】
ディスク形状あるいはリング形状の直径方向に磁場配向着磁された実質的に希土類磁石本体のみからなることを特徴とするマグネットホルダー。
【請求項３】
請求項１に記載の希土類磁石と同じ希土類磁石を、あるいは当該希土類磁石と同じ外径寸法で厚さがより大きな希土類磁石を片側半分を表面がＮ極で裏面がＳ極になるように、残りの半分をその反対に表面がＳ極で裏面がＮ極になるように着磁した状態で、ディスク形状あるいはリング形状の磁石の回転対称軸を中心に回転自在に把持部の先端に取り付けたことを特徴とする請求項１に記載のマグネットホルダー用のリムーバー。
【請求項４】
請求項２に記載の希土類磁石と同じ希土類磁石を、あるいは当該希土類磁石と同じ外径寸法で厚さがより大きな希土類磁石を着磁処理した状態で、ディスク形状あるいはリング形状の磁石の回転対称軸を中心に回転自在に把持部の先端に取り付けたことを特徴とする請求項２に記載のマグネットホルダー用のリムーバー。
【請求項５】
厚さが０．５〜３ｍｍであり、直径が５〜１５ｍｍのディスク形状あるいは外径が５〜１５ｍｍのリング形状であることを特徴とする請求項１および請求項２に記載のマグネットホルダー。
【請求項６】
把持部の先端に取り付けた希土類磁石の厚さが１〜４ｍｍであり、直径が５〜１５ｍｍのディスク形状あるいは外径が５〜１５ｍｍのリング形状であることを特徴とする請求項３および請求項４に記載のリムーバー。
【請求項７】
マグネットホルダーの円周コーナー部に０．１ｍｍ以上の面取りが施してあることを特徴とする請求項１および請求項２に記載のマグネットホルダー。
【請求項８】
希土類磁石がネオジウム系焼結磁石、ネオジウム系ボンド磁石、サマリウム鉄窒素系ボンド磁石のいずれかであることを特徴とする請求項１および請求項２に記載のマグネットホルダー。
【請求項９】
先端に回転自在に取り付けた希土類磁石がネオジウム系焼結磁石、ネオジウム系ボンド磁石、サマリウム鉄窒素系ボンド磁石のいずれかであることを特徴とする請求項３および請求項４に記載のリムーバー。
【発明の詳細な説明】
【技術分野】
【０００１】  本発明は、希土類磁石を用いたマグネットホルダーと該マグネットホルダーを磁気吸着させた対象物から取り外すためのリムーバーに関するものである。
【背景技術】
【０００２】    ホワイトボードやスチールキャビネット等のスチール製の事務機器あるいは冷蔵庫等の家電機器の側面や扉等、スチール製の機器（以下、被掲示体と呼ぶ）にメモやポスター等の用紙（以下、掲示物と呼ぶ）を固定する目的で、磁気吸着力を利用したマグネットホルダーが広く用いられている。このようなマグネットホルダーに用いられている磁石の多くはフェライト磁石である。フェライト磁石は安価である反面、磁力が弱く、被掲示体に固定保持できる掲示物の大きさや枚数が限定され、一方、保持力を大きくしようとすると、大きな磁石が必要となり、覆い隠す面積が増えてしまうといった問題点が存在した。【０００３】  このような問題を解決し極めて小型のマグネットホルダーを実現する方法として、ネオジウム系焼結磁石等の磁気エネルギー積の大きな希土類磁石を用いる方法を挙げることができる。しかしながら、希土類磁石は磁気吸着力が強過ぎ、取り外しが極めて難しく、使い勝手が悪いといった問題点が存在した。
吸着面積を小さくして厚さの大きな磁石すなわち軸方向に着磁した棒状の磁石を用いればそのような問題は解決できるが、磁石体積が増加する割に磁気吸着力は大きくならず、コストパフォーマンスが低下し現実的な解決方法とはなり得なかった。【０００４】  最近、上記問題点を解決する方法としてネオジウム系焼結磁石をプラスチック製の本体部に組み込んだマグネットホルダーが開発され市販されている。これらのマグネットホルダーの多くは、例えば一例を示せば、図９（ａ）に吸着面側から見た平面図を、（ｂ）に中心線を通る断面図で示すようにディスク状のプラスチック本体６１の片面に小型のディスク状ネオジウム系焼結磁石３４を埋め込んで接着してある（例えば特許文献１を参照）。あるいは、図１０に斜視図を示すようにバー状のプラスチック本体６２に小型の円柱状ネオジウム系焼結磁石３５を２個両側に填め込んである（例えば特許文献２を参照）。【０００５】  その他、図１１に斜視図で示すように、掴みやすい形状に成形したプラスチック本体６３に小型円柱状のネオジウム系焼結磁石３６が埋め込まれているものも市販されている。
しかしながら、プラスチックと組み合わせているため製作費が高く、また全体として大きくなり強力な希土類磁石を用いて小型化できるにもかかわらずその特徴を発揮できていない。
【特許文献１】  特開平１１−１１０７２号公報
【特許文献２】  実用新案登録  第３０５９４８４号公報
【発明の開示】
【発明が解決しようとする課題】
【０００６】  前記のネオジウム系焼結磁石を用いたマグネットホルダーはプラスチックと組み合わせて製作されているため、その分製作時に工数がかかり磁石本体の価格に比して高価である。また、廃棄処分する場合、プラスチックと磁石といった全く異質の材料で構成されているため、その分離が難しいといった問題があった。【０００７】  本発明のマグネットホルダーは上述の問題点に着眼して案出されたものであり、その目的は、プラスチック等の他の材料と組み合わせることなく磁石本体のみで構成され、小型で磁気吸着力が大きくかつ同時に被掲示体からの取り外しを容易にする方法を工夫することにある。
【課題を解決するための手段】
【０００８】  上記課題を達成するため、本発明のマグネットホルダーおよびリムーバーを以下に説明するような構成とした。【０００９】  本発明のマグネットホルダーは、ディスク形状あるいはリング形状の厚さ方向に磁場配向され、片側半分を表面がＮ極で裏面がＳ極になるように、残りの半分をその反対に表面がＳ極で裏面がＮ極になるように着磁した希土類磁石からなることを特徴とする。マグネットホルダーは実質的に磁石本体のみから構成されているため小型でかつ安価とすることができる。【００１０】  本発明のリムーバーは前記マグネットホルダーを構成する磁石と同じ希土類磁石を、あるいは当該希土類磁石と同じ外径寸法で厚さがより大きな希土類磁石を、片側半分を表面がＮ極で裏面がＳ極になるように、残りの半分をその反対に表面がＳ極で裏面がＮ極になるように着磁した状態で、ディスク形状あるいはリング形状の磁石の回転対称軸を中心に回転自在に把持部の先端に取り付けたことを特徴とする。【００１１】  そのように構成したリムーバーを前記マグネットホルダーに中心軸が合うように近づけることにより、リムーバーの先端の磁石は適宜回転して、マグネットホルダーのＮ極とリムーバーのＳ極が向き合い、同時にマグネットホルダーのＳ極とリムーバーのＮ極が向き合い、互いに強固に磁気吸着するため、容易にリムバーと一緒に被掲示体から引き離すことができる。【００１２】  本発明のマグネットホルダーの他の一つは、ディスク形状あるいはリング形状の直径方向に着磁された希土類磁石からなることを特徴とする。マグネットホルダーは実質的に磁石本体のみから構成されているため小型でかつ安価とすることができる。また、磁石全体にわたって着磁方向が一方向であり、専用の着磁コイルを用いる必要がなくなり着磁が容易となる。【００１３】  本発明のリムーバーの他の一つは前記マグネットホルダーを構成する磁石と同じ希土類磁石を、あるいは当該希土類磁石と同じ外径寸法で厚さがより大きな希土類磁石を、直径方向に着磁した状態で、ディスク形状あるいはリング形状の磁石の回転対称軸を中心に回転自在に把持部の先端に取り付けたことを特徴とする。【００１４】  そのように構成したリムーバーを前記マグネットホルダーに中心軸が合うように近づけることにより、リムーバーの先端の磁石は適宜回転して、マグネットホルダーのＮ極とリムーバーのＳ極が向き合い、同時にマグネットホルダーのＳ極とリムーバーのＮ極が向き合い、互いに強固に磁気吸着する。そのため、特に、マグネットホルダーとリムーバーの先端の磁石との間に磁気回路が形成され、マグネットホルダーと被掲示体との磁気吸着力が弱まるため容易にマグネットホルダーをリムバーと一緒に被掲示体から引き離すことができる。【００１５】  本発明のマグネットホルダーは、特に前記のマグネットホルダーの中で厚さが０．５〜３ｍｍであり、直径が５〜１５ｍｍのディスク形状あるいは外径が５〜１５ｍｍのリング形状であることを特徴とする。このような形状に規定することにより、掲示物の十分な保持力と取り外し易さを兼ね備えさせることができる。【００１６】  さらに、前記のリムーバーの中で把持部の先端に取り付けた希土類磁石の厚さが１〜４ｍｍであり、直径が５〜１５ｍｍのディスク形状あるいは外径が５〜１５ｍｍのリング形状であることを特徴とするリムーバーである。マグネットホルダーの形状寸法に合わせこのように規定することにより、マグネットホルダーと同等かより磁気吸着力の強いリムーバーとすることができ、確実にマグネットホルダーをリムーバー側に吸着させることができる。【００１７】  さらに、本発明のマグネットホルダーは円周コーナー部に０．１ｍｍ以上の面取りが施してあることを特徴とする。
コーナー部を面取り加工してあるため扱いやすく、マグネットホルダーを取り外すことなく、掲示物の上面とその外側の間でマグネットホルダーを滑らすことにより、掲示物を固定したり外したりすることも可能となる。【００１８】  特に、前記マグネットホルダーを構成する希土類磁石および把持部の先端に回転自在に取り付けられる希土類磁石が、ネオジウム系焼結磁石、ネオジウム系ボンド磁石、サマリウム鉄窒素系ボンド磁石のいずれかであることを特徴とするマグネットホルダーあるいはリムーバーである。これらの磁石は量産され、入手性、コストパーフォーマンスに優れている。
【発明の効果】
【００１９】  本発明のマグネットホルダーは実質的に希土類磁石本体のみで構成されており、製作費が安く、かつ極めて小型化することが可能となる。例えば、画鋲の押さえ部の大きさ、具体的には直径約１０ｍｍ厚さ約１ｍｍ程度の寸法形状の磁石でも、十分な保持力を有する。このような、小型薄型の希土類磁石本体のみで構成された磁石は、そのままでは希土類磁石の磁気吸着力が大きいことと相俟って、取り外しが極めて難しくなる。このようなマグネットホルダーに対しても本発明のリムーバーを用いることにより、極めて簡単に取り外しが可能となる。なぜならば、本発明のリムーバーを、マグネットホルダーに近づければ、リムーバー先端の磁石はマグネットホルダーの磁極に合わせて回転し、互いに強力に磁気吸着しあうため、リムーバーとマグネットホルダーを一体化させて、被掲示体から引き離すことができるからである。
【発明を実施するための最良の形態】
【００２０】  以下に、図を用いてさらに詳しく説明する。
（第１の実施形態）
図１に示すマグネットホルダー１１は通常のニッケルメッキ処理仕上げし、かつ面に垂直方向に磁場配向させて製造されたディスク状のネオジウム系焼結磁石３１を素材として、面方向の片側半分を表面がＮ極で裏面がＳ極になるように、残りの半分をその反対に表面がＳ極で裏面がＮ極になるように着磁して作製したものである。図１（ａ）は斜視図であり、図１（ｂ）には回転対称軸を通る断面図で示し、Ｎ極から出てＳ極に向かう磁力線の様子を点線と矢印で表示した（以下の図についても同様にして、断面図には磁力線の概念図を示した）。
このように本発明のマグネットホルダーは実質的に希土類磁石のみから構成されているため極めて小型とすることができる。また、プラスチック等の本体と組み合わせていないため、製作費を安くできる。【００２１】  図２に図１に示したマグネットホルダー１１を取り外す際に用いる専用のリムーバー２１の構成を示す。図２（ａ）は斜視図であり、図２（ｂ）には回転対称軸を通る断面図を示す。
リムーバー２１は把持部４１の上部に、マグネットホルダー１１を構成するネオジウム系焼結磁石と同じ磁石３１が回転台座５１に接着固定されている。回転台座５１は回転軸５１ａと一体構成されており、回転軸５１ａは把持部４１の中心部の貫通孔に、適度のクリアランスを保って差し込まれている。そのため、把持部４１の回転軸５１ａを中心に自由に回転できるように構成されている。なお、回転軸５１ａの下部にワッシャー５１ｂとネジ５１ｃを用いて、回転台座５１が外れないように工夫してある。なお、回転台座５２の素材としては、磁性を有するフェライト系ステンレス鋼のＳＵＳ４３０の丸棒を用いた。【００２２】  図３に、リムーバー２１を用いて、マグネットホルダー１１を２個（１１ａ、１１ｂ）磁気吸着させ被掲示体（未表示）から引き離した状態を断面図で示す。リムーバー２１をマグネットホルダー１１に中心軸がほぼ合うように近づけると、互いに反対の磁極の面同志は磁気吸着しあい、同じ磁極の面同志は反発しあう。そのため、リムーバーの先端に取り付けられた磁石は、両側の相対する面の磁極が引き合うような位置関係でない場合回転して、向きが調整され、互いに強力に磁気吸着する。【００２３】  そして、被掲示体（非表示）とマグネットホルダーとの磁気吸着力より、リムーバーの先端に取り付けた磁石とマグネットホルダーとの磁気吸着力の方が強いため、リムーバーを引っ張ることにより、マグネットホルダーをリムーバーと一体化した状態で被掲示体から外すことができる。あるいは、マグネットホルダーをリムーバーに磁気吸着させた状態で倒すようにして、被掲示体とマグネットホルダー間の磁気吸着力を弱めればさらに容易にマグネットホルダーを外すことができるようになる。【００２４】  さらに、マグネットホルダーをリムーバーから外すことなくそのままの状態で、別のマグネットホルダーについても同じ操作を繰り返すことにより、マグネットホルダーを磁気吸着し、被掲示体から取り外すことができる。図３にはそのようにして、マグネットホルダー１１を２個、リムーバー２１に磁気吸着させた状態を示した。
特に数多くのマグネットホルダーを外そうとする場合、このように複数個のマグネットホルダーを重ねるようにして次々に外すことが可能であり使い勝手が極めて良い。【００２５】（第２の実施形態）
図４は、本発明の別の方式のマグネットホルダー１２を示す。マグネットホルダー１２を構成するディスク状のネオジウム系焼結磁石３２は磁場成型時に直径方向に磁場配向するように概略円柱状の成形体を製造し（厳密には成形体の段階では断面形状は磁場配向方向に長い楕円形状）、さらに焼結、熱処理、外周研磨、切断、メッキ処理等の工程を経て、最終的に配向方向に合わせ着磁処理することにより製作したものである。【００２６】  図５にはこのような直径方向に着磁したマグネットホルダー１２専用のリムーバー２２の斜視図（ａ）と断面図（ｂ）を示す。回転台座５２に接着固定する磁石として、マグネットホルダー１２を構成する磁石と同じ、直径方向に着磁した磁石３２を用いる。また、回転台座の素材としては非磁性のアルミニウム合金を用いた。その他については、リムーバー１１と同じように構成されており、リムーバー２２の先端に取り付けられた磁石３２は把持部４２に対して、自由に回転できるように構成されている。【００２７】  図６には、このようにして製作したリムーバー２２を用いて、マグネットホルダー１２を磁気吸着させ、被掲示体（非表示）から引き離した状態を断面図で示してある。図６に示すように、リムーバー２２の先端に取り付けられた磁石３２はその磁極のＮ極とＳ極が、それぞれ互いにマグネットホルダー１２のＳ極とＮ極の位置に合うように回転調整され、磁気吸着しあう。磁気吸着した状態では、磁束はリムーバー２２に取り付けられた磁石３２のＮ極から出て、マグネットホルダー１２のＳ極に入って通過しＮ極から出て、次に、磁石３２のＳ極から入り、その中を通過する。このように、閉回路を形成するため、被掲示体側に伸びる磁束が減り、被掲示体とマグネットホルダーとの磁気吸着力は著しく低下する。
このような現象により、リムーバー２２に磁気吸着させたマグネットホルダー１２を被掲示体から引き離すのは極めて容易となる。【００２８】（第３の実施形態）
図７には第２の実施形態のマグネットホルダー用のリムーバーの別の実施形態を示す。図７（ａ）に斜視図を、図７（ｂ）には把持部４３の中心線を通る切断面を示した。把持部はプラスチック製の薄板を２枚合わせて製作した。その際、片面の薄板４３ａには先端部に凹部を成形し、他の平らなプラスチック製薄板１枚４３ｂとの間の空洞部に、直径方向に磁場配向着磁されたディスク形状の磁石３２が回転自在に納められている。【００２９】  図８に、このようにして製作されたリムーバー２３を用いて、マグネットホルダー１２を磁気吸着させた状態を断面図で示す。
マグネットホルダー１２とリムーバー２３を構成する磁石３２との間には、リムーバー２３の把持部４３を構成するプラスチック薄板４３ａが介在する。その分、お互いの磁気吸着力は減少する。しかしながら、第２の実施形態のマグネットホルダー１２と本実施形態のリムーバー２３の組み合わせの場合、マグネットホルダー１２とリムーバー２３を構成する磁石との間には磁束の閉回路が形成され、被掲示体に伸びる磁束が減少するため、相対的に十分な磁気吸着力で、リムーバー２３側にマグネットホルダー１２を引き着けることが可能となる。【００３０】  以上述べてきたように、本発明のマグネットホルダーは、それぞれ専用のリムーバーを組み合わせて用いることにより使い勝手が著しく向上する。
なお、第１の実施形態のマグネットホルダーの場合、着磁のために専用のコイルを準備する必要があるが、第２の実施形態のマグネットホルダーの場合、そのような特別仕様の着磁コイルは必要とせず、汎用の着磁コイルを用いることができる利点がある。【００３１】  一方、同じ形状寸法の磁石で比較した場合、第１の実施形態のマグネットホルダーの方が、第２の実施形態のマグネットホルダーより、磁気吸着力は強い。
しかしながら、希土類磁石としてネオジウム系焼結磁石を用いた場合、例えば、直径１０ｍｍ厚さ１．５ｍｍ程度の小型薄型の磁石を用いて作製した第２の実施形態のマグネットホルダーでも、Ａ４用紙を６枚程度保持する能力があり十分な磁気吸着力を有する。また、掲示物としてメモ程度の用紙を被掲示体に固定保持しようとする場合、第２の実施形態のマグネットホルダーは被掲示体に対して磁場配向着磁方向に立てて用いることも可能である。その場合、掴みやすくリムーバーを用いることなく、簡単に、マグネットホルダーの脱着が可能となる。【００３２】  なお、第２の実施形態のマグネットホルダーとリムーバーの組み合わせの場合、あるいは第２の実施形態のマグネットホルダーと第３の実施形態のリムーバーの組み合わせの場合、マグネットホルダーをリムーバーに磁気吸着させた状態では、マグネットホルダーには他のマグネットホルダーを磁気吸着させる力は減少する。そのため、リムーバーで磁気吸着させたマグネットホルダーはその都度取り外すのが望ましい。【００３３】  次に、マグネットホルダーの形状寸法を規定した理由について詳細に述べる。
外径が円形のディスク状あるいはリング状の磁石は、回転対称であり、マグネットホルダーを重ねた時に出っ張りが無くなり、リムーバーに磁気吸着させた状態から外してペーパーを固定保持しようとする時、指に角が当たらず感触を柔らげる効果がある。特に、本発明のリムーバーは、把持部先端に回転自在に取り付けられるため、その点からも回転対称形状が望ましい。
また、通常希土類磁石は金型成型法で製造され、金型の製作から焼結後の研削等の機械加工まで含めて、ディスク状形状は量産に適しており、経済性の観点からも好ましい形状として選択される。【００３４】  厚さを０．５ｍｍ以上としたのはそれ以下では機械的強度が不足するからである。希土類磁石は概して脆く、０．５ｍｍ以下では例えばリムーバーをマグネットホルダーに近づけたとき、磁気吸引力で互いに衝突しあい、割れてしまう可能性がある。また、薄い磁石ほど、製造時の切断や研磨ロスが相対的に増し、磁石のグラム当たり単価が高くなり、磁気吸着力の割に高価となりコストパフォーマンスが低下するからである。さらに、０．５ｍｍ以下では、リムーバーに吸着したマグネットホルダーを外すとき、指をかけにくく外すのが難しくなるからである。これらの点を考慮すると、厚さはより望ましくは０．７ｍｍ以上、さらに望ましくは１．０ｍｍ以上とする。【００３５】  マグネットホルダーの直径を５ｍｍ以上、１５ｍｍ以下としたのは５ｍｍ未満では、小さすぎて掴みにくく、１５ｍｍを越えると大きすぎて磁気吸着力が必要以上に強くなり、高価となるだけでなく、掲示物を覆う面積が増え強力な希土類磁石を用いる利点が失われるからである。【００３６】  なお、本発明のマグネットホルダーは、以上述べてきたようなディスク形状以外に、リング形状のものを用いることもできる。リング形状の場合、十分な磁気吸着を保持させるため、内径は外径の２／３以下、さらに望ましくは１／２以下とする。【００３７】  さらに、本発明はディスクあるいはリング形状の円周コーナー部に０．１ｍｍ以上の面取りが施してあることを特徴とするマグネットホルダーもしくはリムーバーを包含する。
コーナー部を面取り加工してあるため、マグネットホルダーを取り外すことなく、掲示物を固定したり外したりすることも可能となり使い勝手が向上する。
なぜならば、最も多く用いられているコピー用紙の厚さは０．１ｍｍ以下であり、それ以上の面取りを施すことにより、被掲示体より取り外すことなく、面方向に滑らすことにより、掲示物の上面から外したり載せることが可能となるからである。【００３８】  特に、このような効果を発揮させるためには面取りは０．１５ｍｍ以上さらに望ましくは０．２ｍｍ以上とする。
なお、面取りすることにより、リムーバーに磁気吸着させたマグネットホルダーを外す時も指に当たる感触が和らげられ、扱いやすくなる利点がある。【００３９】  このような面取りは片側だけでも効果があるが、両面に面取りをする方が両面を区別して用いる必要がなくなり使いやすい。面取りは直線的なカット方法でも良いが、丸味を帯びた面取りすなわちアールを着けるのが望ましい。特に、希土類磁石の製造工程で用いられているバレル研磨の手法により、通常より時間をかけて角を丸める方法が量産に適し望ましい。【００４０】  次に、リムーバーについてさらに詳しく説明する。
リムーバー本体部に取り付ける磁石は、これら磁石とマグネットホルダー間の磁気吸着力の方がマグネットホルダーと被掲示体との磁気吸着力より確実に大きくするため、マグネットホルダーに用いる磁石と同等以上の磁気吸着力を有する磁石を用いるのが望ましい。例えば、既に述べた例のように、マグネットホルダーと同じ形状寸法で同じグレードすなわち磁気エネルギー積を有する磁石を用いることができる。
あるいは、同じ外径寸法でマグネットホルダーを構成する磁石より厚い磁石を用いることもできる。【００４１】  第１の実施形態の図２および第２の実施形態の図５に示した方式のリムーバーの把持部および回転台座の外径は、先端に取り付ける磁石の外径と同じにするのが望ましい。そのようにすることで、先端に取り付ける磁石と回転台座および把持部との間に段差がなくなり、使い勝手が向上する。なお把持部は掴みやすいように、磁石と反対側は径を小さくしたり、あるいは断面を扁平にすることもできる。先端に取り付ける磁石も含めた全長は、磁石外径の１倍以上、さらに望ましくは１．２倍以上とすることにより、掴み安さが向上する。【００４２】  リムーバーの把持部を構成する材料としては、アクリル等のプラスチック、木材、アルミニウムや黄銅等の非磁性材料を用いることができる。
第１の実施形態に係わる図２に例示したマグネットホルダー、すなわち厚さ方向に垂直方向に磁場配向し半分に分けて着磁方向を変えたマグネットホルダー用のリムーバーに用いられる回転台座としては、プラスチック等の非磁性材料を用いても良いし、軟鋼やフェライト系ステンレス等の磁性材料を用いることもできる。特に後者の磁性材料を用いることにより、回転台座と磁石は互いに磁気吸着するため、接着剤を補い回転台座への磁石の固定をより強固にすることができる。また、マグネットホルダーとリムーバー先端の磁石との磁気吸着力も強まるメリットがある。【００４３】  一方、図４に例示した第２の実施形態に係わる直径方向に磁場配向着磁したマグネットホルダー用のリムーバーの回転台座としてはプラスチックあるいはアルミニウムや黄銅等の非磁性材料を用いる必要がある。なぜならば磁性材料を用いると、磁束の一部が回転台座の中をバイパスしてマグネットホルダーとの磁気吸着力が弱まるためである。【００４４】  第３の実施形態に係わる図７に示した形式のリムーバーの場合も、特に磁石を収納する空洞部周辺に磁性材料の薄板を用いると、磁気シールド効果により、リムーバーの先端に格納した磁石の磁気吸着力が弱まるため、例えばプラスチックやＳＵＳ３０４の非磁性材料の薄板材を用いる必要がある。これらの薄板材の厚さは、強度を確保できる範囲内で薄い方が望ましく、０．８ｍｍ以下、さらに望ましくは０．６ｍｍ以下とする。【００４５】  これらのマグネットホルダーの本体となる希土類磁石およびリムーバーの先端に取り付けられる希土類磁石としてはネオジウム系焼結磁石、ネオジウム系ボンド磁石、サマリウム鉄窒素系ボンド磁石から選択することができる。これらの磁石は、量産されており、経済的な価格で入手ができるからである。特に、これらの磁石の中で、磁石の強さを表す磁気エネルギー積（（Ｂ  Ｈ）ｍａｘ）が大きく、その割に経済的なネオジウム系焼結磁石が最適な希土類磁石として選択される。【００４６】  ところで、従来のマグネットホルダーに用いられてきた磁石は、全て、面に垂直方向にかつ一方向に着磁された状態で用いられてきた。マグネットホルダーをネオジウム系焼結磁石で構成する場合、小型薄型のマグネットホルダーとすることができる。しかしながら、従来と同様に厚さ方向にかつ一方向に着磁した磁石をそのままマグネットホルダーとした場合、磁気吸着力が強すぎ、一方で掴みにくいため、取り外しができない。【００４７】  もし、例えばより強力なかつ掴みやすい形状の磁石があれば、それをリムーバー替わりに用いて、そのマグネットを磁気吸着させ、その状態で、被掲示体から引き離すことは可能である。しかしながら、仮に、そのような適当な形状の磁石があったとしても、その磁石をマグネットホルダーに近づけないと吸引しあうか、反発しあうか分からない。そのため、確率的に２回の１回の頻度で、磁石を持ち変える必要が生じる。そのため、特に外す必要のあるマグネットホルダーの数が多い場合、使い勝手が極めて悪い。【００４８】  本発明のマグネットホルダーは、専用のリムーバーを組み合わせて用いることにより、リムーバーの先端をマグネットホルダーに近づけ重ねれば、確実に互いに磁気吸���しあう。その後、マグネットホルダーをリムーバーに一体化させた状態で、倒すようにして簡単にマグネットホルダーを引き離すことができる。このようにマグネットホルダーの磁極の向きを意識する必要がなく、使い勝手が極めて良い。【００４９】  また、リムーバー自体も磁気吸着力があるため、例えば被掲示体の隅に磁気吸着させておけば良く、探したりする手間が省ける。また、リムーバー自体もマグネットホルダーと同様に、掲示物の固定保持用に用いることもできる。【００５０】  リムーバーに磁気吸着したマグネットホルダーは、横方向に滑らし、互いに磁気吸着している面積を減らすことにより磁気吸着力を小さくして、簡単に取り外すことが可能である。なぜなら、ずらすのに必要な力は磁気吸着力に１より十分小さなマグネットホルダー表面間の摩擦係数を乗じた数値となり、かつ力も加えやすく、さらにずらした状態では磁気吸着力が弱まると同時に、掴みやすくなるからである。【００５１】  なお、マグネットホルダーは通常１個づつ切り離して使用する。第１の実施形態に示したマグネットホルダーの場合、特に一箇所で大きな保持力を必要とする時は、２個あるいは３個以上重ねて使用することもできる。厚さは、薄くした方がマグネットホルダーの単価を下げることができ、高保持力を必要とする時に重ねて用いることにより、全体として経済的なマグネットホルダーとすることが可能となる。【００５２】  本発明のマグネットホルダーは２個１組にして用いれば、掲示物を非磁性のガラスに固定することも可能である。すなわち、窓やドアのガラスや食器戸棚や本箱等のガラス窓にも裏面と表面にマグネットホルダーを配置し、掲示物を保持することができる。【００５３】  特に、通常の面に垂直な１方向に磁場配向着磁された磁石を用いてガラスにマグネットホルダーを用いて掲示物を保持しようとする場合、互いに反発しあう向きで固定しようとすると、反対側の磁石ははじき飛ばされ、反対側に落ちてしまい、それを探して拾うのは極めて煩わしい。本発明のマグネットホルダーは、両面の区別がなく、互いに吸引しあう方向に回転し向きが変わるため使い勝手が良い。【００５４】  従来ガラスに掲示物を保持する場合、一般的に粘着テープを用いていた。そのような方法に比べて本発明のマグネットホルダーあるいはマグネットホルダーとリムーバーを組み合わせて用いた方が着脱ともに簡単となり、しかも粘着テープを用いた場合のように、接着剤がガラス面に残留し汚すといった問題も起こらない。【００５５】  なお、マグネットホルダー２個を１組として、掲示物をガラスに固定する場合、リムーバーを用いて外す場合も、裏面のマグネットホルダーは落ちないように支えておく必要があり、両手を用いて、しかもガラスの裏側に手を伸ばす必要が生じる。
コーナー部を面取りをしたマグネットホルダーを用いる場合、リムーバーを用いなくても、ガラスの上を面方向に滑らすことにより、ガラス面から取り外すことなく、しかも手前側の片側のみでの操作により掲示物の脱着が可能となり使い勝手がさらに向上する。【００５６】  本発明のマグネットホルダーは強力な希土類磁石を用いているため、例えば通常の鉄製の画鋲の円形押さえ部程度の小さな部材（直径：約１０ｍｍ、厚さ：約１ｍｍ）に対してさえ、例えばほぼ同じ面積のかつ画鋲の頭部と同じ厚さ程度の小さなマグネットホルダーを用いた場合でも、十分な保持力を確保できる。したがって、木製の家具や石膏ボード製の壁等の被掲示体に画鋲を留めておき、その上から本発明のマグネットホルダーを用いて、掲示物を十分な保持力で固定することができる。取り外しはリムーバーを用いて簡単に行うことができる。あるいはマグネットホルダーを面方向にずらすことによっても取り外せる。【００５７】  画鋲は特に強く差し込んだ場合は取り外しにくく、また、刺し変える毎に、被掲示体に疵を付けることになる。本発明のマグネットホルダーを用いることにより、そのような問題点を解消できる。【００５８】  以上述べてきたような利用方法により、本発明のマグネットホルダーは磁性材料製の被掲示体だけでなく、ガラスならびに木製や石膏ボード等の非磁性材料製の建材等にも利用範囲を拡大することができる。
【実施例】
【００５９】  次に、実施例を挙げて本発明を具体的に説明する。なお、マグネットホルダーの保持力は厚さ１．２ｍｍの鋼板を用いて製作されたスチールキャビネットの側面（塗装面）にＡ４サイズの用紙を重ねてその上に１個のマグネットホルダーを置き用紙を何枚保持できるかで評価した。試験に用いたＡ４サイズの用紙の１枚あたりの重さは４．２ｇ、厚さは０．０８３ｍｍであった。【００６０】（実施例１）
ニッケルメッキ仕上げした直径１２ｍｍ厚さ１．６ｍｍのディスク形状の面に垂直方向に磁場配向した４２ＭＧＯｅ級のネオジウム系焼結磁石を素材として、専用のコイルを準備し、直径方向に半分づつ着磁方向を変えて着磁処理した。このようにして製作した図１に示すマグネットホルダー１１を用いて前述の方法で保持力を調べた。
保持力を評価した結果、Ａ４サイズの用紙の保持力は１４枚であり、極めて小型であるにもかかわらず十分な保持力を有していた。【００６２】（実施例２）
実施例１に示したマグネットフォルダー１１用のリムーバーとして、図２に示すようなリムーバー２１を作製した。把持部はマグネットホルダーの外径に合わせ、直径１２φのアクリル樹脂丸棒を素材として作製した。回転台座と回転軸の部分は、直径１２ｍｍφの丸棒を素材として切削加工で作製した。アクリル樹脂の中心部に開けた貫通孔は直径４．０ｍｍとし、回転軸の外径は３．９５ｍｍとして、台座が自由に回転するようにした。把持部に回転軸を差込ワッシャーとネジで留めて、回転台座が外れないようにした。次に、実施例１のマグネットホルダーに用いたのと同じ、形状寸法でかつ同じように着磁処理した磁石を回転台座にエポキシ系接着剤を用いて固定した。【００６３】  このようにして作製したリムーバー２１を用いて、被掲示体上に留めてある実施例１に示したマグネットホルダー１１に中心軸が合うように近づけた。リムーバーの先端の磁石は回転し、マグネットホルダーと互いに磁気吸着しあった。その状態で、倒すようにして、簡単にマグネットホルダー１１を被掲示体から引き離すことができた。リムーバーに磁気吸着したマグネットホルダーは横方向に滑らすことにより、簡単に取り外すことができた。【００６４】  リムーバー２１を用いて、複数のマグネットホルダー１１を被掲示体から引き離す場合は、マグネットホルダーをリムーバーの先端に残したまま、次々に重ねるようにして被掲示体から取り外すことができ、極めて使い勝手が良かった。【００６５】（実施例３）
ニッケルメッキ仕上げした直径１２ｍｍ厚さ１．６ｍｍの直径方向に磁場配向着磁したディスク形状の４２ＭＧＯｅ級のネオジウム系焼結磁石を素材として、さらに表面をアクリル系の粉末塗装処理をしてマグネットホルダーとした。このようにして製作した図２に示すマグネットホルダー１２を用いて前述の方法で保持力を調べた。
保持力を評価した結果、Ａ４サイズの用紙の保持力は１０枚であり、極めて小型であるにもかかわらず十分な保持力を有していた。【００６６】（実施例４）
実施例２に示したマグネットフォルダー１２用のリムーバーとして、図５に示すようなリムーバー２２を作製した。回転台座部と回転中心軸の加工素材としてアルミニウム合金丸棒を用いた以外は実施例３と全く同様にして作製した。次に、実施例２のマグネットホルダーに用いたのと同じ形状寸法でかつ同じように着磁処理した磁石を回転台座にエポキシ系接着剤を用いて固定した。【００６７】  このようにして作製したリムーバー３２を用いて、被掲示体上に留めてある実施例２に示したマグネットホルダー１２に中心軸が合うように近づけた。リムーバーの先端の磁石は回転し、マグネットホルダーと互いに磁気吸着しあった。その状態で、簡単にマグネットホルダー１２を被掲示体から引き離すことができた。特に、リムーバーをマグネットホルダーに磁気吸着することにより、マグネットホルダーと被掲示体間の磁気吸着力は減じるため、倒すことなくまっすぐ引いても確実にマグネットホルダーを外すことができ、使い勝手が良かった。【００６８】（実施例５）
ニッケルメッキ仕上げした外径１２ｍｍ、内径３ｍｍ、厚さ１．４ｍｍの直径方向に磁場配向着磁したリング形状の４２ＭＧＯｅ級のネオジウム系焼結磁石をマグネットホルダーを素材として用いた。なお、磁石の製造工程でニッケルメッキ仕上げの前のバレル研磨を強めた。そのため、磁石のコーナー部のアールは約０．２ｍｍであった。このようにして作製した磁石の表面をアクリル系の粉末塗装処理をしてマグネットホルダー１３とした。【００６９】  マグネットホルダー１３の保持力を評価した結果、Ａ４サイズの用紙の保持力は７枚であり、極めて小型薄型であるにもかかわらず十分な保持力を有していた。
なお、通常よりコーナー部のアールを大きくしたため、被掲示体上のマグネットホルダーを掲示物の用紙の端部を乗り越えて、滑らすことができた。すなわち、マグネットホルダーを被掲示体から外すことなく、掲示物の脱着が可能であった。【００７０】（実施例６）
実施例５に示したマグネットフォルダー用のリムーバーとして、図７に示すようなリムーバー２３を作製した。把持部を形成するための非磁性薄板材としては、０．５ｍｍ厚さの熱可塑性プラスチックを用いて成形製作した。把持部先端の空洞部に回転自在に格納する磁石として、マグネットホルダー１３と外径が同じで、厚さが厚い実施例２のマグネットホルダーに用いたのと同じ磁石３２を用いた。【００７１】  このようにして作製したリムーバー２３を用いて、被掲示体上に留めてある実施例３に示したマグネットホルダー１３の中心軸にリムーバーの先端の磁石の中心軸がほぼ合うように近づけた。リムーバーの先端の空洞部に納めた磁石３２は回転し、マグネットホルダーと互いに磁気吸着しあった。その状態で、簡単にマグネットホルダー１３を被掲示体から引き離すことができた。特に、リムーバーをマグネットホルダーに磁気吸着することにより、マグネットホルダーと被掲示体間の磁気吸着力は減じるため、リムーバー先端の磁石とマグネットホルダー間には、０．５ｍｍｔのプラスチック薄板が介在しているにもかかわらず、簡単にリムーバー側にマグネットホルダー磁気吸着させた状態で外すことができた。【００７２】（比較例１）
実施例１で示したマグネットホルダー１１の作製時に用いた磁石と同じ、直径１２ｍｍ厚さ１．６ｍｍのディスク状の面に垂直方向に磁場配向したネオジウム焼結磁石を素材として用いた。ただし、全面同一方向に着磁してそのままマグネットホルダーとして用いた。【００７３】  実施例１と同様な方法で保持力を調べた結果、Ａ４用紙を１５枚保持することができた。このように、実施例１より僅かではあるが保持力は大きかった。しかしながら、マグネットホルダーは用紙を１枚程度保持した状態では被掲示体に強固に磁気吸着しており、手で外すことはできず、ペンチを用いてやっと外すことができた。【００７４】  リムーバーの替わりに、同じ磁石を６個以上重ねた状態にしたものを使用して、磁気吸着させれば手でも一緒に引き離すことができた。しかしながら、マグネットホルダーの磁極は外観では識別できないため、重ねた状態の磁石をマグネットホルダーに近づけないと磁気吸着するかしないか分からない。そのため、２回に１回の割合で、持ち変える必要が生じ、使い勝手は極めて悪かった。
【産業上の利用可能性】
【００７５】  本発明のマグネットホルダーはプラスチック等の他の材料と組み合わせることなく実質的に強力な希土類磁石本体で構成されている。そのため、小型かつ薄型で、掲示物の上での専有面積が極めて少ない上に、製作費も安く経済的なマグネットホルダーとすることができる。また、本発明の専用のリムーバーと組み合わせて用いることにより、簡単に被掲示体から脱着することが可能となり、使い勝手が良い。また、本発明のマグネットホルダーを２個用いることによりガラスに掲示物を保持することが可能となり、あるいは画鋲と組み合わせて用いることにより、石膏ボードや木製の壁や家具等にも用いることが可能となり、このように磁性材料に限らず非磁性材料まで利用範囲を広げることができ産業上の利用可能性は高い。
【図面の簡単な説明】
【００７６】
【図１】第１の実施形態に係わるマグネットホルダーの（ａ）斜視図と（ｂ）断面図である。
【図２】第１の実施形態に係わるリムーバーの（ａ）斜視図と（ｂ）断面図である。
【図３】第１の実施形態に係わるマグネットホルダを２個リムーバーで磁気吸着させた状態を示す断面図である。
【図４】第２の実施形態に係わるマグネットホルダーの（ａ）斜視図と（ｂ）断面図である。
【図５】第２の実施形態に係わるリムーバーの（ａ）斜視図と（ｂ）断面図である。
【図６】第２の実施形態に係わるマグネットホルダをリムーバーで磁気吸着させた状態を示す断面図である。
【図７】第３の実施形態に係わるリムーバーの（ａ）斜視図と（ｂ）断面図である。
【図８】第３の実施形態に係わるリムーバーでマグネットホルダーを磁気吸着させた状態を示す断面図である。
【図９】従来の希土類磁石を用いたマグネットホルダーの一例を示す（ａ）平面図と（ｂ）断面図である。
【図１０】従来の希土類磁石を用いた長尺型のマグネットホルダーの一例を示す斜視図である。
【図１１】従来の希土類磁石を用いた他のマグネットホルダーの一例を示す斜視図である。
【符号の説明】
【００７７】  １１、１２、１４、１５、１６  マグネットホルダー
２１、２２、２３  リムーバー
３１、３２、３４、３５、３６  磁石
４１、４２、４３  把持部
５１、５２  回転台座
５１ａ、５２ａ  回転軸
６１、６２、６３  プラスチック本体
【図１】
2005289020.tif 000003
【図２】
2005289020.tif 000004
【図３】
2005289020.tif 000005
【図４】
2005289020.tif 000006
【図５】
2005289020.tif 000007
【図６】
2005289020.tif 000008
【図７】
2005289020.tif 000009
【図８】
2005289020.tif 000010
【図９】
2005289020.tif 000011
【図１０】
2005289020.tif 000012
【図１１】
2005289020.tif 000013